(57)【要約】【課題】  簡便、容易な方法で電子回路や高周波回路、電気回路およびそれらの周辺機器の他、ＡＤＳＬ電話回線の通信速度やパソコンの処理速度を向上させることを可能とする。【解決手段】  低線量放射線放射物質を含有する塗布物を貼付したシートを、電子回路や高周波回路およびその周辺機器、電源ユニット、特にパソコンにおいてはＣＰＵ、ＣＰＵファン、メモリー、ハードディスク、モデムに貼付、装着することで回路中の導体にプラス電位、マイナス電位を付加し、結果、データ信号の電気を強化、加速させることができ、装置内に滞留している静電気をアースすると同様な状態として滞留静電気が原因で発生するノイズを低減するので、電子機器、電気機器、パソコンの処理速度が向上する。  同様に、電線・ケーブルにおいては低線量放射線放射物質を内芯にすることにより、電話線はデータ信号電気の減衰を少なくし、データ信号電気の送信速度が向上する、高圧送電線は送電量を減らすことなく電磁界の強さを低減させる。【特許請求の範囲】
【請求項１】
電子部品、電子回路、電気回路、電子周辺機器、電気周辺機器に貼付又は／或いは覆うことにより、電子部品、電子回路、電気回路、電子周辺機器、電気周辺機器の導体を流れるデータ信号（電気信号）の減衰を改善し、導体の電子の流れを加速することでデータ信号（電気信号）の流れを加速させ、同時に電子部品、電子回路、電気回路、電子周辺機器、電気周辺機器などの静電気をアースすると同様の効果をもたらす低線量放射線放射物質又は／或いは低線量放射線放射物質の粉末を含有する塗布物を塗布又は／或いは貼付したことを特徴とする活性シート。
【請求項２】
電子部品、電子回路、電気回路、電子周辺機器、電気周辺機器に貼付又は／或いは覆うことにより、電子部品、電子回路、電気回路、電子周辺機器、電気周辺機器の導体を流れるデータ信号（電気信号）の減衰を改善し、導体の電子の流れを加速することでデータ信号（電気信号）の流れを加速させ、同時に電子部品、電子回路、電気回路、電子周辺機器、電気周辺機器などの静電気をアースすると同様の効果をもたらす低線量放射線放射物質又は／或いは低線量放射線放射物質粉末を含有することを特徴とする活性セラミック・チップ。
【請求項３】
コンピュータにおいてはＣＰＵ、ＣＰＵファン、メモリー、ハードディスク、モデム、電源ユニット、バイオス、スプリッターなどの部分に貼付又は／或いは当該部分を覆うことによりコンピュータＣＰＵ、メモリー、ハードディスク、モデム、電源ユニット、バイオス、スプリッター中の電子の流れが促進され電流が速まる効果をもたらすことを特徴とし、コンピュータ部品や装置などの静電気をＣＰＵファンから放射されるプラス・イオン、マイナス・イオンによってアースされると同様の効果をもたらす低線量放射線放射物質又は／或いは低線量放射線放射物質粉末を含有する塗布物を塗布又は／或いは貼付したことを特徴とする活性シート。
【請求項４】
コンピュータにおいてはＣＰＵ、ＣＰＵファン、メモリー、ハードディスク、モデム、電源ユニット、バイオス、スプリッターなどの部分に貼付又は／或いは当該部分を覆うことによりコンピュータＣＰＵ、メモリー、ハードディスク、モデム、電源ユニット、バイオス、スプリッター中の電子の流れが促進され電流が速まる効果をもたらすことを特徴とし、コンピュータ部品や装置などの静電気をＣＰＵファンから放射されるプラス・イオン、マイナス・イオンによってアースされると同様の効果をもたらす低線量放射線放射物質又は／或いは低線量放射線放射物質粉末を含有することを特徴とする活性セラミック・チップ。
【請求項５】
低線量放射線放射物質又は／或いは低線量放射線放射物質粉末を素材とする物質からつくられたものであることを特徴とするコンピュータのＣＰＵファン。
【請求項６】
通信用電線・ケーブル、電力用ケーブルなど電線・ケーブルの線内部に低線量放射線放射物質又は／或いは低線量放射線放射物質粉末を内芯にすることを特徴とする電線・ケーブル。
【請求項７】
請求項１から請求項６記載の低線量放射線放射物質又は／或いは低線量放射線放射物質の粉末が、ラジウム鉱石又は／或いはラジウム鉱石粉末、トリウム鉱石又は／或いはトリウム鉱石粉末、モナザイト又は／或いはモナザイト粉末、ウラン含有鉱物又は／或いはウラン含有鉱物粉末等のうちの少なくとも１種以上のものからなることを特徴とする。
【請求項８】
高強度、高比表面積、高細孔面積を有し、且つ大きい平均曲路率を有したイオン透過性に優れたことを特徴とする多孔質シート又は／或いは多孔質多層シートの請求項１ならびに請求項３記載の活性シート。
【請求項９】
片面に粘着剤を塗布してある導電性金属箔をシートに用いたことを特徴とする請求項１ならびに請求項３記載の活性シート、および請求項２ならびに請求項４記載の活性セラミック。
【請求項１０】
電気石であるところの花崗岩鉱物又は／或いは花崗岩鉱物の粉末を配合させたことを特徴とする請求項１から請求項７記載の低線量放射線放射物質又は／或いは低線量放射線放射物質の粉末。
【請求項１１】
磁性材料の一種であるフェライト又は／或いはフェライトのメッキ箔を貼付したことを特徴とする請求項１から請求項７記載の低線量放射線放射物質又は／或いは低線量放射線放射物質の粉末。
【発明の詳細な説明】
【技術分野】
【０００１】  本発明は、電子回路や高周波回路並びにその周辺機器の処理速度の向上を可能とする低線量放射線放射物質を利用したシート、或いはセラミックに関するものである。
加えて本発明は、電線・ケーブルの線内芯に使用すると、電話線におけるデータ信号の送信ロスを低減させることが可能で、高圧送電線から発生する電磁界の強さを低減させることが可能とするものである。
【背景技術】
【０００２】  電子が導線上を移動する時、または空間を経て放射される時には必ずある程度の電気・電磁ノイズを発生する。従って、データ信号が銅線や放送などの送信チャネルを経由して送られる時には、背景にある電磁妨害、すなわちノイズがそのデータ信号に伴う。
特にワイヤレス・コミュニケーションでは、無線信号が全方位に向けて外へ放射されるため拡散率が高いために信号の強さが比較的弱く、また、電磁ノイズの発生源が自然環境を始めとして数え切れないほど存在し、壁や建物は信号を遮断または減衰させることから、データ送信の受取に遅滞が生じ易い。【０００３】  インターネットの世界では、閉鎖された環境であるデータ信号とノイズの比較は管理しやすい。例えば、企業ネットワークの場合、そこではラジオ等の機器が発する低レベルのノイズが原因で電磁妨害が起きることがあるが、１０ＭＨｚで稼働するＥｔｈｅｒｎｅｔには必ず受信側にノイズ・フィルタが組み込まれており１０ＭＨｚを超えた不要な信号を取り除いている。【０００４】  電線が長いと電線自体が持つ物理的な「（直線的な）微小抵抗」が増大していき、ｋｍオーダーの長さになると大きな値となり、直流・交流共に電流は通りにくくなる。また電線を延ばすこと自体がコイルとなり、長く引いた電線は抵抗成分が大きくなると共にアンテナの役割をし、電線の経路の途中で発生している雑音成分を拾うことにもなる。
このようにＡＤＳＬにとっては線路長、局舎間距離はその性能を左右する重要な要素となっており何らかの解決が課題となっている。【０００５】  近年、電子回路の電源電圧は低下する傾向にある。そして小型軽量化に伴い、高密度実装が進み、またマイクロプロセッサのクロック周波数はますます高くなっている。コンピュータはＣＰＵの動作速度が向上しもはや単なるデジタル回路ではなく高周波回路になりつつあり、コンピュータ自体が電磁波を発生させている。このことは、最近の電子回路がノイズに弱くなる傾向にありながら、一方ではノイズをたくさん出す方向にあるということに他ならない。【０００６】  最近の電磁ノイズ対策においては４００ＭＨｚ〜１ＧＨｚのより高い周波数における対策が問題になることが多くなってきた。これはノイズ放射側の機器の動作クロック周波数が上がり、これに伴って周辺回路を構成するＩＣの動作も高速化しているためである。
さらに、携帯電話やコンピュータに代表されるように電磁ノイズ発生源であるデジタル回路を自ら内蔵した機器においては、自分自身から放射する不要輻射の影響で受信障害を起こしてしまう問題がある。
携帯電話は通信用に８００ＭＨｚ帯や１．５ＧＨｚ帯といった高い周波数を用いているため、この周波数帯の電磁ノイズを抑制することが特に重要な課題になってきている。
このような高い周波数帯での電磁ノイズ対策としてフェライトビーズを装着方法があるが、それでも高いレベルの不要電磁ノイズがあると、回線上のノイズが原因で誤って読み取られたデータ・パケットを再送信しなければならない。その結果、データ送信の受け取りに遅滞が生じる。
データ信号対ノイズ比を高めるもう一つの方法は、送信側の信号のボルテージを高めることである。
ちなみに、電波望遠鏡などの複雑な機器では、回路の温度を絶対０度（摂氏−２７３度）近くに下げることによって電気抵抗を限りなくゼロに近づけ、結果、電磁ノイズを最小限に抑えるといった工夫がなされているが一般的生活においては実用的ではない。【０００７】
【特許文献１】  特許第３０８５１８２号公報
【特許文献２】  特開２００４−０１８７２４公報
【特許文献３】  特開２００３−３３６１６９公報
【特許文献４】  特開２００３−２２５９６０公報
【特許文献５】  特開２００３−１２８８０５公報
【特許文献６】  特開２００１−３３２８８４公報
【特許文献７】  特開２００１−１８５７４９公報
【非特許文献１】  野口正安著「放射線のはなし」日刊工業新聞社’８７／０６
【非特許文献２】  伊藤憲昭著「放射線物性１」最新応用物理学シリーズ
【非特許文献３】  伊藤健一著「アースとノイズのはなし」日刊工業新聞社
【非特許文献４】  後藤尚久著「なっとくする電磁気学」講談社
【非特許文献５】  「電気の大百科」（株）オーム社
【発明の開示】
【発明が解決しようとする課題】
【０００８】  解決しようとする問題点は、雑音（電気・電磁ノイズ）が大きいとネット通信が「遅く」なる点であり、パソコン自体では処理速度が低減する点である。
これは、ネット通信において、データ信号よりも電気・電磁ノイズが大きいと受信に「失敗」し、受信側のパソコンが送信側に対して「データ信号再送要求」を出すことから、それが頻発すると通信のやりとり回数が増えるためである。
同様に電線・ケーブルにおいて、電話線はＡＤＳＬを利用するとき局舎間距離によりデータ信号送信のロスが大きくなる点であり、同じ回線を同時にたくさんの人が使用しているという場合でも影響を受ける点である。高圧送電線においては安定した送電を図るために電磁界が強力になる点である。
【課題を解決するための手段】
【０００９】  本発明は、ネット通信や電子回路、電気回路、それら周辺機器、パソコンなどにおける電気・電子ノイズはそのままとして、回路中を流れるデータ信号を強くしデータ信号の流れを加速して同時に、電子回路、電気回路、それら周辺機器、パソコンなどに滞留する静電気を解消するために、強力な電離作用をもつ低線量放射線放射物質を使用することを最も主要な特徴とする。
同様に、電線・ケーブルにおいては、電話線を流れるデータ信号を強くしデータ信号の流れを加速するために、高圧送電線の送電量を下げることなく電線が発する強力な電磁界を低減させるために、強力な電離作用をもつ低線量放射線放射物質を使用することを最も主要な特徴とする。
【発明の効果】
【００１０】  本発明の活性シートは、電子回路や高周波回路、電気回路、それら周辺機器、電源ユニット、特にパソコンにおいてはＣＰＵ、ＣＰＵファン、メモリー、ハードディスク、モデムに貼付、或いは装着することにより回路中の導体に低線量放射線放射物質から放射されるプラス電位、マイナス電位を導体に付加することでデータ信号を強くし、データ信号の流れを加速させることができる。同時に電子回路や高周波回路、電気回路やそれら周辺機器内、電源ユニット、パソコン装置内に滞留している静電気をアースすると同様な状態とすることができることで、静電気が原因で発生するノイズを低減させることができ、電子機器、電気機器、パソコンなどの処理速度が向上するという利点がある。
同様に、電線・ケーブルにおいては、電話線は送信されるデータ信号の減衰を少なくしデータ信号の送信速度を向上することができ、高圧送電線は送電量を下げることなく発生する電磁界の強さを低減させるという利点がある。
【発明を実施するための最良の形態】
【００１１】  電子周辺機器、電気周辺機器、特にパソコンにおいては、データ受信能力等を向上させ、処理速度を向上させるという目的を、低線量放射線放射物質を利用するという簡易な手段によって実現した。
【実施例１】
【００１２】  図１は、データ信号の大きさ（レベル）と雑音レベル（電気・電磁ノイズ）の大きさを示しており（Ｓ／Ｎ比）、回線長が大きく（長く・遠い）なるとＳ／Ｎ比が徐々に悪くなって行くことを表している。この事実は広く公知されている。
ノイズのレベルはほぼ一定であるとした。局から出た直後のデータ信号は強い（大きい）が電話回線（電線）を伝わっていく間に（距離）データ信号の強さは少しずつ減衰していく。
雑音は常に発生している訳ではなく、瞬発的・散発的に発生するので全く予測のつかないものであるから、図１ではギザギザ（凸凹の櫛状）に記した。
データ信号と雑音レベルの「差」である雑音余裕度は、図１の速度の好値が得られている利用者と認められ、図１の左寄り（局舎に近い）に居ることになる。
図１の右端は局舎からの距離があって信号は弱くなっている例であるが、環境が良いため雑音レベルが小さく、Ｓ／Ｎ比や雑音余裕度がそれなりに小さくとも通信が可能というケースを示している。
従って、Ｓ／Ｎ比さえあれば（データ信号が大きければ）、局舎間距離が多少あっても多少速度は遅いものののネット通信は可能となる。
要するに回線速度向上や品質・安定性を望むならば、ノイズはそのままとしてデータ信号を強くすることにより課題を解決することができる。【００１３】  銅、鉄などの金属類は電気がよく通りやすいので導体と呼ばれている。導体には微小の抵抗が存在するが、導体のなかを電子がかなり自由に動き回れるようになっているおり、これを自由電子と呼ばれている。
自由電子は、プラス電位に引きつけられ、一方、マイナス電位から電子が供給されて連続的な電子の流れを生じる。この電子の流れが電流であり、電流の向きは電子の流れる向きと逆である。これらの事実は広く公知されている。
データ信号（電気信号）を伝え易い（抵抗が小さい）といわれる「銅線」でも微小抵抗がありキロメートル単位では大きな値となる。そして抵抗があるとデータ信号（電気信号）が減っていき雑音も乗りやすくなる。データ信号の強さはいつかは雑音レベルと同等となり、更に雑音レベルより下がる。
微小抵抗が存在する「銅線」などの導体に対し、導体の外部からプラス電位、マイナス電位を供給したとき、導体内を流れる電子の動きは強くなり、その流れは速くなる。
本発明においては、導体に対する外部からのプラス電位、マイナス電位の供給源に自然界で最も電離作用が強いと言われている低線量放射線放射物質を利用したものである。【００１４】  アース（グランド）は、電子回路においては基準電位（０Ｖ）を保つための導体で、ノイズ対策上重要であることは公知されている。
電流はプラス電位からマイナス電位方向へ流れるので、電線としては２本必要である。すなわち、電線１本では「戻り線」が無いので電気は伝わらない。
しかし、電気信号が電線１本で送れるのは、「大地＝ｅａｒｔｈ，ｇｒｏｕｎｄ」を面積の広い導体＝もう１本の電線（「戻り線」）と同じにすることにより電流が流れることによるものである。
「キルヒホッフの法則」のとおり、回路中にある接続点に流れ込む電流の和と流れ出る電流の和は等しいことから、回路から放出される電流は消滅することなく、回路ならびにその装置内に静電気として滞留することとなる。
例えばパソコンでは、電子回路などの機器をアースしていなければ装置機器内の空間に静電気が放出されていることから、本来はこの空中伝搬ノイズを防御するために電子機器などの小さな部分にシールディングを施すことが良策となる。
その他の方法に、２本の信号線をよりあわせることで、２本の信号線に発生するノイズ電流が互いにノイズ打ち消しあうことでノイズを防止する方法がある。
本発明は、低線量放射線放射物質を利用することで、空中伝搬のノイズ電流を低線量放射物質が放射するプラス電位とマイナス電位が打ち消し、ノイズを防止することを発見し、アースをしたと同様の効果を得られることを発明した。
【実施例２】
【００１５】  本発明をパソコンに貼付、装着した例をもって次の通り説明する。
以下は、本発明の低線量放射線放射物質を含有する塗布物を貼付したシートの使用実施例であるが、本特許は本実施例に縛られものではない。
本発明の活性シートを、１：ＣＰＵ、２：ＣＰＵファン、３：メモリー、４：ハードディスク、５：モデム、６：電源ユニットに貼付すると、本発明の低線量放射線放射体から放射されるプラス電位とマイナス電位により回路導線のデータ信号を強くし、データ信号の流れを速くして、同時に、当該機器装置内部に滞留している静電気を容易にアースしたと同様の効果をもたらす。
パソコン回路のデータ電気信号が増強されると同時にパソコン内部に滞留している静電気が実質的にアースされることから、パソコン回路のデータ電気信号の流れは速くなり、ノイズは相対的にデータ電気信号よりも減衰することとなる。
電気はプラス電位とマイナス電位があることから、本発明のシートから放射されるプラス電位量とマイナス電位量の放出量はほぼ均衡であることが最も望ましい。
【産業上の利用可能性】
【００１６】  電子回路や高周波回路およびその周辺機器を流れるデータ信号を強くしデータ信号の流れを速くすると同時に、電子回路や高周波回路およびその周辺機器中のノイズの発生原因の一つである静電気をアースすると同様のことができるシートを開発したことから、電子回路や高周波回路およびその周辺機器、パソコンなどの処理速度を向上させることを可能とする。
【図面の簡単な説明】
【００１７】
【図１】  局舎から送出されるＡＤＳＬ信号が減衰する様子とノイズとの関係を示したモデルである。
【図１】
2005321368.tif 000002